(57)【要約】【課題】据付板のコスト低減をはかる一方、据付精度を維持できる空気調和機を提供することを目的とする。【解決手段】複数のネジ挿通孔を穿設した平板状の基部と同基部の上端から前方に折曲されるとともに先端部を上方に折曲された係止部とで左側据付金具１と右側据付金具２とを形成する一方、段ボール材からなり、左右方向の位置出し端面と上下方向の位置出し端面とを備えた型紙３により前記左側据付金具１と前記右側据付金具２との壁面での位置出しを行いネジ２４により壁面に夫々固定する。続いて空気調和機の背面に形成された係止孔に前記左側据付金具１と前記右側据付金具２の係止部を挿通させ空気調和機の本体を壁面２５に据付ける。【選択図】  図３
2004317017.tif 000002
【特許請求の範囲】
【請求項１】
複数のネジ挿通孔を穿設し壁面に当接する平板状の基部と、同基部の上端から前方に折曲されるとともに先端部を上方に折曲した係止部とからなる左右一対の左側据付金具及び右側据付金具と、上端面を天井面突当部、左右端面を壁面突当部とし、前記天井面突当部の両端から垂直に切欠かれた端面を左右方向の位置出し端面とするとともに、同位置出し端面に連なる水平な端面を上下位置出し端面とし、同上下位置出し端面の下方に開口部を設けた型紙とからなり、
同型紙の前記左右方向の位置出し端面に夫々の側縁を突当てるようにして、前記左右一対の上下位置出し端面に、前記左側据付金具と右側据付金具の係止部を載置し、前記基部を室内の壁面に接触させた後、前記開口部からネジを前記ネジ挿通孔に挿通させ、壁面に螺合して前記左側据付金具と右側据付金具とを壁面に固定し、空気調和機本体の背面に備えられた係止孔を前記係止部に係止させることにより壁面に据付けるようにしてなることを特徴とする空気調和機の据付装置。
【請求項２】
前記型紙が、段ボール材からなり、空気調和機の本体を梱包する梱包材に同梱されてなることを特徴とする請求項１に記載の空気調和機の据付装置。
【請求項３】
前記左側据付金具と右側据付金具の基部に、壁面から突設された植込みボルトに対応する長孔を設けてなることを特徴とする請求項１に記載の空気調和機の据付装置。
【発明の詳細な説明】
【０００１】
【発明の属する技術分野】
本発明は空気調和機に関わり、より詳細には、据付金具の構造を簡素化するとともに据付用の型紙を設けた構成に関する。
【０００２】
【従来の技術】
空気調和機を壁面に据付ける従来の据付装置として、例えば図５（Ａ）で示すような据付金具３１が用いられている。同据付金具３１は本体部周縁に複数のネジ挿通孔３２を穿設し、上辺両側を前方に若干膨出して係合部３３を設けている。下部両側には、本体部から切起こされ複数の長孔を水平方向に連設した水平部３４と、同水平部３４と前記本体部との間に挟持され、複数のネジ孔を上下に連設するとともに、下端に掛止爪３５ａを形成した垂直部材３５が設けられている。空気調和機の本体３０背面上部には、図５（Ｂ）で示すように、前記据付金具３１の係合部３３に係合する係合爪３０ａが突設され、背面下部には前記掛止爪３５ａに掛止する掛止孔３０ｂが穿設されている。（特許文献１参照）
【０００３】
据付けの手順としては、前記据付金具３１を壁面の所定位置に貼り付け前記ネジ挿通孔３２にネジを挿通させるとともに壁面に螺合させて前記据付金具３１を固定する。次に、前記垂直部材３５を上下に摺動させて前記掛止３５ａの上下位置を調整するとともに、前記水平部３４の長孔により水平に移動させて水平位置を調整し、ネジにより本体部に固定する。続いて前記本体３０の係合爪３０ａを前記係合部３３に係合させる一方、前記垂直部材３５の掛止爪３５ａを前記掛止孔３０ｂに掛止させて前記本体３０を壁面に据付ける。これにより前記本体３０のサイズや前記係合爪３０ａ及び掛止孔３０ｂの位置が変更されても、前記据付金具３１で対応できるようになっている。
【０００４】
しかしながら、上記した据付金具においては、ある程度の大きさを要するとともに、前記垂直部材３５の位置調整が据付工事の際、必要であり据付金具のコスト低減がはかれる一方、据付工事が容易に行える据付装置が求められていた。
【０００５】
【特許文献１】
特開平６−３３７１３２号
【０００６】
【発明が解決しようとする課題】
本発明は上記問題点に鑑み、コスト低減をはかれるとともに、据付金具を壁面の正確な位置に容易に取付けることのできる型紙を設けた空気調和機の据付装置を提供することを目的とする。
【０００７】
【課題を解決するための手段】
本発明は上記課題を解決するため、複数のネジ挿通孔を穿設し壁面に当接する平板状の基部と、同基部の上端から前方に折曲されるとともに先端部を上方に折曲した係止部とからなる左右一対の左側据付金具及び右側据付金具と、上端面を天井面突当部、左右端面を壁面突当部とし、前記天井面突当部の両端から垂直に切欠かれた端面を左右方向の位置出し端面とするとともに、同位置出し端面に連なる水平な端面を上下位置出し端面とし、同上下位置出し端面の下方に開口部を設けた型紙とからなり、
同型紙の前記左右方向の位置出し端面に夫々の側縁を突当てるようにして、前記左右一対の上下位置出し端面に、前記左側据付金具と右側据付金具の係止部を載置し、前記基部を室内の壁面に接触させた後、前記開口部からネジを前記ネジ挿通孔に挿通させ、壁面に螺合して前記左側据付金具と右側据付金具とを壁面に固定し、空気調和機本体の背面に備えられた係止孔を前記係止部に係止させることにより壁面に据付けるようにしてなる構成となっている。
【０００８】
また、前記型紙が、段ボール材からなり、空気調和機の本体を梱包する梱包材に同梱されてなる構成となっている。
【０００９】
また、前記左側据付金具と右側据付金具の基部に、壁面から突設された植込みボルトに対応する長孔を設けてなる構成となっている。
【００１０】
【発明の実施の形態】
以下、本発明の実施の形態を、添付図面に基づいた実施例として詳細に説明する。
図１は本発明による据付板を示す斜視図であり、図２は型紙を示す斜視図である。図３及び図４は据付手順を示す説明図である。
本発明による空気調和機は、図１で示すような板金からなる左側据付金具１及び右側据付金具２を設けている。同左側据付金具１は、壁面に当接する平板状の基部１ａと同基部１ａの上端から前方に折曲されるとともに先端部を上方に折曲された係止部１ｂからなり、同係止部１ｂの上端は更に前方に向かい傾斜して折曲され傾斜端１ｃを形成し、前記基部１ａには四囲及び中央部に複数のネジ挿通孔１ｄが穿設される一方、その中央上部には長孔１ｅが水平状に穿設されている。前記右側据付金具２も前記左側据付金具１と同様に構成されている。
【００１１】
型紙３は、図２で示すように、段ボール材からなり空気調和機の本体を梱包する梱包材に同梱されるようになっている。同型紙３は、左右上部を切欠いて前記左側据付金具１及び右側据付金具２の位置出し部を形成しており、上端縁は直接天井面に突当てるか、又は長方形状の板材を介して天井面に突当てる天井面突当部３ａとなっており、左右端面は直接壁面に突当てるか、又は長方形状の板材を介して壁面に突当てる壁面突当部３ｂとなっている。前記天井面突当部３ａの両端から垂直に切欠かれた端面は、左側端面が前記左側据付金具１の右側端縁が突当てられ同左側据付金具１の左右方向の位置出しが行われる位置出し端面３ｄとなっており、右側端面も前記右側側据付板２の左側端縁が突当てられ同右側据付金具１の左右方向の位置出しが行われる位置出し端面３ｄとなっている。
【００１２】
左側の前記位置出し端面３ｄに連なる水平な端面は、前記左側据付金具１の係止部１ｂ下面が突当てられる上下位置出し端面３ｃとなっており、右側の位置出し端面３ｄに連なる水平な端面も、前記右側据付金具２の係止部２ｂ下面が突当てられる上下位置出し端面３ｃとなっている。又、左右夫々の上下位置出し端面３ｃの下方には前記基部１ａ及び前記基部２ａに穿設された複数のネジ挿通孔１ｄ及び複数のネジ挿通孔２ｄに臨む矩形状の開口部３ｅが設けられている。
【００１３】
次に、空気調和機の壁面への据付手順について説明する。図３で示すように、まず、前記型紙３の左右に形成された上下位置出し端面３ｃ上に前記左側据付金具１の係止部１ｂと前記右側据付金具２の係止部２ｂとを掛止させるようにして室内の壁面２５に前記基部１ａと前記基部２ａとを接触させる。そして前記天井面突当部３ａを直接天井面に突当てるか、又は長方形状の板材を介して天井面に突当てて水平出しを行うとともに、前記左右の壁面突当部３ｂのいずれか一方を、前記壁面２５と直交する壁面に直接突当てるか、又は長方形状の板材を介して突当て、左右方向の位置を調整する。
【００１４】
次に、前記左側据付金具１の右側縁を左側の前記位置出し端面３ｄに当接させ、又前記右側据付金具２の左側縁を右側の前記位置出し端面３ｄに当接させて前記左側据付金具１と前記右側据付金具２との間隔を所定の距離に設定し、前記壁面２５への取付位置を決定する。続いて、前記開口部３ｅに臨んだ前記ネジ挿通孔１ｄに複数のネジ２４を挿通させ、壁面２５に螺合させて前記左側据付金具１と前記右側据付金具２とを固定する。又、前記壁面２５から所定の間隔をおいて、植込みボルトが突設されている場合は、同植込みボルトを前記基部１ａ及び前記基部２ａに穿設された長孔１ｅ及び長孔２ｅに挿通させ、ナットを螺合させることにより前記左側据付金具１と前記右側据付金具２とを壁面２５に固定する。
【００１５】
次に、図４で示すように、空気調和機２６の背面上部に形成された一対の係止孔に、前記傾斜端１ｃ及び前記傾斜端２ｃにより誘導させながら，前記左側据付金具１と前記右側据付金具２の係止部を挿通させ夫々係止させることにより空気調和機２６の本体を壁面２５に据付ける。又、図示はしていないが、同空気調和機２６の背面下部には後方に若干膨出した台形状の突当部が設けられており、同突当部を壁面２５に突当てることにより本体が水平に据付けられるようになっている。
【００１６】
上記したように、小片の前記左側据付金具１と前記右側据付金具２とで空気調和機２６の本体を壁面に据付けることにより、据付板のコスト低減をはかれる一方、段ボールからなり梱包材に同梱された型紙により前記左側据付金具１と前記右側据付金具２との位置出しを行うことにより据付の精度を維持できる空気調和機の据付装置とすることができる。
【００１７】
【発明の効果】
以上説明したように、本発明によると、複数のネジ挿通孔を穿設した平板状の基部と同基部の上端から前方に折曲されるとともに先端部を上方に折曲された係止部とで左側据付金具と右側据付金具とを形成する一方、段ボール材からなり、左右方向の位置出し端面と上下方向の位置出し端面とを備えた型紙により前記左側据付金具と前記右側据付金具との位置出しを行い壁面に固定することにより、据付板のコスト低減をはかれる一方、本体の据付精度を維持できる空気調和機の据付装置とすることができる。
【図面の簡単な説明】
【図１】左側据付金具と右側据付金具とを示す斜視図である。
【図２】型紙を示す斜視図である。
【図３】左側据付金具と右側据付金具との据付手順を示す斜視図である。
【図４】空気調和機本体の据付を示す斜視図である。
【図５】（Ａ）は従来の据付金具を示す正面図である。
（Ｂ）は空気調和機の本体を示す斜視図である。
【符号の説明】
１  左側据付金具
１ａ  基部
１ｂ  係止部
１ｃ  傾斜端
１ｄ  ネジ挿通孔
１ｅ  長孔
２  右側据付金具
２ａ  基部
２ｂ  係止部
２ｃ  傾斜端
２ｄ  ネジ挿通孔
２ｅ  長孔
３  型紙
３ａ  天井面突当部
３ｂ  壁面突当部
３ｃ  位置出し端面
３ｄ  上下位置出し端面
３ｅ  開口部
２４  ネジ
２５  壁面
２６  空気調和機
【図１】
2004317017.tif 000003
【図２】
2004317017.tif 000004
【図３】
2004317017.tif 000005
【図４】
2004317017.tif 000006
【図５】
2004317017.tif 000007